(57)【特許請求の範囲】
【請求項１】
定着装置や画像形成ユニットなどの複数の被冷却部と、前記定着装置にシート材を吸着して搬送する分離搬送装置と、前記分離搬送装置用の排気ダクトと、前記被冷却部冷却用の複数の排気ダクトを備えた画像形成装置において、
前記分離搬送装置用の排気ダクトと前記被冷却部冷却用の複数の排気ダクトは、１つの合流ダクトに合流するよう連通され、この合流ダクトには、複数の排気ファンが設けられ、そのうちの１つの排気ファンの排気方向上流側は、隔壁部材により、前記分離搬送装置用の排気ダクトの領域と、前記冷却用の排気ダクトの領域と、の２つの領域に区画され、
前記複数の排気ファンのうち前記１つの排気ファン以外の排気ファンは、前記合流ダクトにおける前記冷却用の排気ダクトの領域に配置され、
前記隔壁部材と前記複数の排気ファンとの間であって、前記複数の排気ファンに跨って配置されるオゾンフィルタを有することを特徴とする画像形成装置。
【発明の詳細な説明】
【技術分野】
【０００１】
本発明は、複写機、ファクシミリ、プリンタ、又は、これらの複合機等の電子写真方式の画像形成装置に関し、詳しくは、電子写真方式の画像形成装置において複数の排気経路を干渉させないで合流し、部品の共通化を図る技術に関するものである。
【背景技術】
【０００２】
従来、電子写真方式の画像形成装置において、搬送ベルト内の空気を吸引して負圧にすることで搬送ベルト上にシート材（コピー用紙、はがき、厚紙、ＯＨＰなどの樹脂シートを含むシート状の部材、以下同じ）を吸着させてシート材の搬送を行う分離搬送装置を搭載したものが知られている。
【０００３】
また、特許文献１には、下部排気装置７０として、搬送ベルトにシート材を吸着するための排気経路と、転写・剥離コロントロン１５やプリ転写コロントロン１４などから発生するオゾンや紙粉等の粉塵の排出経路をダクト６０で合流すると共に、下部案内板８２などの仕切り手段を配置して排気ダクト内で乱気流が発生することを防止する画像形成装置が開示されている（特許文献１の明細書の６頁、７頁、第１図、第２図等参照）。
【０００４】
特許文献２には、搬送ベルトにシート材を吸着するためのダクト（吸着用ダクト６３）と、定着装置を冷却するためのダクト（冷却用ダクト６２）を合流し、１つのファン６１で機内から排気することにより、ファンの個数を半減してコストを低減することができる画像形成装置が開示されている（特許文献２の明細書４頁、第１図等参照）。
【０００５】
しかし、特許文献１に記載の画像形成装置では、乱気流が発生することを防止することができるとされているものの、複数の排気経路を略直角に案内して合流するため、仕切り手段を配置しても、気流が互いに干渉し合い、排気効率などが低下することを完全には防止することができないという問題があった。そのため、シート材を十分に吸着することができず搬送不良を引き起こしたり、オゾンや紙粉等の粉塵を機内空気と共に排出する排気効率が低下したり、定着装置の冷却効率が低下して機内温度が上昇し、トナー固着により出力画像に異常が生じたりするのを防ぐことができないという問題があった。
【０００６】
特許文献２に記載の画像形成装置では、機内で発生するオゾンをそのまま機外へ排出してしまうおそれがあり、装置周辺の環境に影響を及ぼし、安全上問題があった。また、オゾンフィルタを設けてオゾンを除去することもできるが、複数の排気ダクトに高価なオゾンフィルタをそれぞれ設けることはコストアップとなってしまうという問題もあった。
【発明の概要】
【発明が解決しようとする課題】
【０００７】
そこで、本発明は、前記従来の問題を解決するべく、複数の排気ダクトを合流して排気ファンや高価なオゾンフィルタなどを共有し、限られたスペースを有効利用することができ、且つ、それぞれの気流が互いに干渉することがなく、シート材を確実に分離搬送することができると共に、被冷却部を確実に冷却することができる画像形成装置を提供することを目的とする。
【課題を解決するための手段】
【０００８】
前記課題を解決するために、請求項１に記載の画像形成装置の発明は、定着装置や画像形成ユニットなどの複数の被冷却部と、前記定着装置にシート材を吸着して搬送する分離搬送装置と、前記分離搬送装置用の排気ダクトと、前記被冷却部冷却用の複数の排気ダクトを備えた画像形成装置において、前記分離搬送装置用の排気ダクトと前記被冷却部冷却用の複数の排気ダクトは、１つの合流ダクトに合流するよう連通され、この合流ダクトには、複数の排気ファンが設けられ、そのうちの１つの排気ファンの排気方向上流側は、隔壁部材により、前記分離搬送装置用の排気ダクトの領域と、前記冷却用の排気ダクトの領域と、の２つの領域に区画され、前記複数の排気ファンのうち前記１つの排気ファン以外の排気ファンは、前記合流ダクトにおける前記冷却用の排気ダクトの領域に配置され、前記隔壁部材と前記複数の排気ファンとの間であって、前記複数の排気ファンに跨って配置されるオゾンフィルタを有することを特徴とする。
【発明の効果】
【００１０】
この発明は、前記のようであって、請求項１の発明によれば、定着装置や画像形成ユニットなどの複数の被冷却部と、前記定着装置にシート材を吸着して搬送する分離搬送装置と、前記分離搬送装置用の排気ダクトと、前記被冷却部冷却用の複数の排気ダクトを備えた画像形成装置において、前記分離搬送装置用の排気ダクトと前記被冷却部冷却用の複数の排気ダクトは、１つの合流ダクトに合流するよう連通され、この合流ダクトには、複数の排気ファンが設けられ、そのうちの１つの排気ファンの排気方向上流側は、隔壁部材により、前記分離搬送装置用の排気ダクトの領域と、前記冷却用の排気ダクトの領域と、の２つの領域に区画され、前記複数の排気ファンのうち前記１つの排気ファン以外の排気ファンは、前記合流ダクトにおける前記冷却用の排気ダクトの領域に配置され、前記隔壁部材と前記複数の排気ファンとの間であって、前記複数の排気ファンに跨って配置されるオゾンフィルタを有するので、異なる系統の排気ダクトで排気ファンの排気能力を共有することができ、スペースの有効活用及び省スペース化や省電力化を図ることができる。また、排気ファンの排気能力を共有しても、隔壁部材により、分離搬送装置用の排気ダクトの領域と、冷却用の排気ダクトの領域との２つの領域に区画されているので、分離搬送装置用の排気ダクトから流れてくる気流と、冷却用の排気ダクトから流れてくる気流とが互いに干渉することがなく、分離搬送装置で所望の負圧を発生させて、シート材を確実に吸着することができると共に、被冷却部からの熱を確実に排熱して冷却することができる。
更に、前記隔壁部材と前記複数の排気ファンとの間であって、前記複数の排気ファンに跨って配置されるオゾンフィルタを有するので、即ち、前記複数の排気ファンの排気方向上流側にオゾンフィルタが設置されているので、複数の排気ファンにおいて高価なオゾンフィルタを共有することができ、コストダウンを図ることができる。
【図面の簡単な説明】
【００１２】
【図１】実施例に係る画像形成装置の概略構成を正面視で示す構成説明図である。
【図２】同上の画像形成装置の分離搬送装置を拡大して示す左側面図である。
【図３】同上の画像形成装置の排気経路を主に示す透視背面図である。
【図４】同上の画像形成装置の合流ダクト付近の骨組みの正面、左側面を主に示す斜視図である。
【発明を実施するための形態】
【００１３】
以下、図面を参照しながら、この発明の実施の形態について説明する。
【実施例】
【００１４】
［画像形成装置］
図１を用いて、本発明の実施例に係る画像形成装置の概略構成について説明する。
図中の符号１は、本発明の画像形成装置の一実施の形態として例示する４連タンデム型中間転写方式の画像形成装置であり、イエロー、マゼンタ、シアン、ブラックの４色のトナーからフルカラーの画像を形成可能なカラーレーザプリンタである。このレーザプリンタ１は、画像を形成する画像形成部２と、この画像形成部２の下方に配置され、画像形成部２へシート材であるコピー用紙を給紙する給紙部３などから主に構成されている。
【００１５】
先ず、画像形成部２から説明する。
画像形成部２は、筺体である装置本体２０内に、潜像担持体として４色のトナーに対応した４つの感光体ドラムＹ，Ｍ，Ｃ，Ｋを有し、各感光体ドラムＹ，Ｍ，Ｃ，Ｋを中心として対応するトナー色の単色トナー像をそれぞれ形成する４つの画像形成ユニット２Ｙ，２Ｍ，２Ｃ，２Ｋを備えている。また、装置本体２０の上面の一角に４色の新規トナーがそれぞれ収容されている４つのトナーボトル１Ｙ，１Ｍ，１Ｃ，１Ｋが配置され、装置本体２０の最上部に感光体ドラムＹ，Ｍ，Ｃ，Ｋに静電潜像を書き込む２つの光書き込みユニット２１，２２が配置されている。
【００１６】
画像形成ユニット２Ｙ，２Ｍ，２Ｃ，２Ｋは、使用するトナーの色が違うだけで、その他の構成は同一となっており、各画像形成ユニット２Ｙ，２Ｍ，２Ｃ，２Ｋは、図の矢印方向に回転駆動可能な感光体ドラムＹ，Ｍ，Ｃ，Ｋと、感光体ドラムＹ，Ｍ，Ｃ，Ｋの外周表面を一様に帯電させる帯電装置と、感光体ドラムＹ，Ｍ，Ｃ，Ｋの外周表面上に形成された静電潜像を各トナーで現像する現像装置と、１次転写後も感光体ドラムＹ，Ｍ，Ｃ，Ｋの外周表面に残留・付着する転写残トナーをクリーニングするクリーンニング装置などから主に構成されており、感光体ドラムを中心として、その回転方向に沿って、帯電装置、現像装置、クリーニング装置の順番で配設されている。
【００１７】
光書き込みユニット２１，２２は、図に示すように、１つの光書き込みユニットで２つの感光体ドラムに静電潜像を書き込むようになっており、各光書き込みユニットは、それぞれ、半導体レーザ（ＬＤ）や発光ダイオード（ＬＥＤ）などの図示しないレーザ光源や回転駆動可能なポリゴンミラー、ｆθレンズなどを有し、レーザ光源で発するレーザ光をポリゴンミラー、ｆθレンズなどで偏向・集光・走査して感光体ドラムＹ，Ｍ，Ｃ，Ｋに照射し、一様に所定の極性に帯電させた感光体ドラムＹ，Ｍ，Ｃ，Ｋの外周表面を露光して帯電レベルを減衰させて、静電潜像を形成する。
【００１８】
また、画像形成ユニット２Ｙ，２Ｍ，２Ｃ，２Ｋの下方には、画像形成ユニット２Ｙ，２Ｍ，２Ｃ，２Ｋで形成された単色トナー像を重畳してコピー用紙へ転写する転写装置４が配設され、この転写装置４の下方の左側面寄りには、転写装置４で転写されたトナー像をコピー用紙に定着する定着装置５が配設されている。
【００１９】
この転写装置４は、中間転写体として半導電性の樹脂を基体する離型層などが設けられた多層構造の無端ベルトである中間転写ベルト４０と、この中間転写ベルト４０を回転駆動する駆動ローラ４１と、中間転写ベルト４０を支持・張架して従動回転する複数の従動ローラ４２〜４７と、図示しない付勢手段で中間転写ベルト４０を外側に押圧して適度なテンションを付与するテンションローラ４８と、４つの感光体ドラムＹ，Ｍ，Ｃ，Ｋとそれぞれ中間転写ベルト４０を挟んで対向する４つの１次転写ローラ４Ｙ，４Ｍ，４Ｃ，４Ｋと、従動ローラ４６と中間転写ベルト４０を挟んで対向する２次転写ローラ４９などから構成されている。なお、一般的に、中間転写ベルト４０の基体とする樹脂には、フッ素樹脂、ＰＶＤシート、ポリイミド系樹脂等が用いられ、離型層には、フッ素系樹脂等が用いられる。
【００２０】
各１次転写ローラは、空隙放電を考慮して、各感光体ドラムＹ，Ｍ，Ｃ，Ｋと中間転写ベルト４０を挟んで当接する正対位置から中間転写ベルト４０の移動方向下流側へ少しずらした位置に配設され、図示しないバイアス電源に接続されている接触方式の転写バイアス（転写電圧）印加手段である。これらの１次転写ローラ４Ｙ，４Ｍ，４Ｃ，４Ｋは、図示しない接離機構により中間転写ベルト４０の内周面と接離可能に構成されており、この接離機構に押圧されて各感光体ドラムＹ，Ｍ，Ｃ，Ｋへ圧接されることによりそれぞれ１次転写ニップを形成し、これらの各１次転写ニップにおいて各感光体ドラム上のトナー像と逆極性の１次転写バイアスが印加されて転写電界が形成され、クーロン力によりトナー像を引き寄せて各感光体ドラムから中間転写ベルト４０の外周表面にトナー像を転写する仕組みとなっている。
【００２１】
２次転写ローラ４９は、従動ローラ４６をバックアップローラとして中間転写ベルト４０に圧接されて、従動ローラ４６と２次転写ローラ４９間に２次転写ニップが形成されている。この２次転写ローラ４９は、図示しないバイアス電源に接続されており、トナー像と逆極性の２次転写バイアスを２次転写ニップに印加する接触印加方式の転写バイアス印加手段となっている。なお、本実施例では、転写バイアス印加手段として、転写チリの発生が少ない接触印加方式のものを採用したが、転写チャージャを用いた非接触方式のものでも構わない。
【００２２】
また、従動ローラ４４，４５と中間転写ベルト４０を挟んで対向する位置には、２次転写後にも中間転写ベルト４０の残留・付着する転写残トナーをクリーニングするクリーニングユニットＣＵが設けられており、このクリーニングユニットＣＵには、中間転写ベルト４０に当接して転写残トナーを掻き取るクリーニングブレードや、中間転写ベルト４０の外周表面に潤滑剤を塗布する潤滑剤塗布装置などが設けられている。
【００２３】
定着装置５は、無端ベルトからなる定着ベルト５０と、定着ベルト５０が巻き掛けられ内部に熱源を有する加熱ローラ５１と、定着ベルト５０が巻き掛けられる定着ローラ５２と、定着ローラ５２に圧接される加圧ローラ５３などから構成され、定着ローラ５２と加圧ローラ５３間が定着ニップとなっている。この定着ニップにトナー像を担持したコピー用紙が搬送されてきて、熱と圧力加えられることにより、トナー像がコピー用紙に溶融圧着されて定着される。
【００２４】
また、２次転写ニップと定着装置５との間には、２次転写後に中間転写ベルト４０からコピー用紙などのシート材を吸着して分離すると共に、そのシート材を定着ニップに搬送する分離搬送装置６が配設されている。なお、この分離搬送装置６については、後で詳述する。
【００２５】
次に、給紙部３について説明する。
給紙部３には、前記画像形成部２の装置本体２０を載置する台車の付いた給紙テーブル３０内に上下２段に分かれた２つの給紙装置３１，３２が備えられ、これらの給紙装置３１，３２には、それぞれ大きさの相違するコピー用紙が複数枚束になって収容されている。各給紙装置３１，３２は、それぞれコピー用紙の束に上方から圧接する給送ローラ３３，３４を有し、この給送ローラ３３，３４を回転駆動させることで、コピー用紙の束の最上位から順に一枚ずつ破線で示す給紙路ＳＲに搬出するようになっている。
【００２６】
この給紙路ＳＲは、最下段の給紙装置３２から前述の２次転写ニップに亘って形成されており、最小のコピー用紙の大きさに応じた所定間隔ごとに回転駆動可能な複数の搬送ローラ対を有し、これら複数の搬送ローラ対でコピー用紙を２次転写ニップまで搬送する。また、この給紙路ＳＲの末端、即ち、２次転写ニップの直前の用紙搬送方向上流側には、レジストローラ対３５が設けられ、このレジストローラ対３５でコピー用紙を一旦停止してから、中間転写ベルト４０のマーク位置に合わせて２次転写ニップへ搬送するタイミングを調整して駆動搬送する。
【００２７】
また、装置本体２０の右側面には、手差し給紙を行う際に使用され、シート材である各種の手差し用紙を載置する傾斜面を有した手差しトレイ３６が突設されている。この手差しトレイ３６には、基端付近に載置された手差し用紙を給紙路ＳＲに向けて給送する給紙ローラ３７と、給紙ローラ３７に対向配置され、給紙ローラ３７によって給送される手差し用紙を１枚ずつに分離する分離ローラ３８と、が配設されている。
【００２８】
そして、装置本体２０の左側面には、コピー用紙や手差し用紙などの定着済みのシート材を載置する傾斜面を有した排紙トレイ７０が突設され、この排紙トレイ７０と定着ニップの間に排紙路ＥＲが形成されている。この排紙路ＥＲには、用紙搬送装置が設けられ、その末端には、排紙ローラ対７１が配設されており、用紙搬送装置で定着装置５を通過して画像が定着されたシート材が搬送され、排紙ローラ対７１により装置本体２０から排紙トレイ７０へ排紙される。
【００２９】
なお、図中のＲＲは、定着装置５を通過した定着済みのシート材を反転させて再度レジストローラ対３５に向けて給送する反転路であり、符号７２は、排紙路ＥＲから反転路ＲＲへ切り換える切換ガイドである。
【００３０】
（画像形成動作）
次に、レーザプリンタ１の画像形成動作について図１を用いて説明する。
先ず、各画像形成ユニット２Ｙ，２Ｍ，２Ｃ，２Ｋにおいて、帯電装置により感光体ドラムＹ，Ｍ，Ｃ，Ｋの外周表面が均一に所定の極性に帯電され、光書き込みユニット２１，２２から画像情報に基いてレーザ光が照射され、一様に帯電された感光体ドラムＹ，Ｍ，Ｃ，Ｋの表面電位が照射された部分だけ減衰することにより感光体ドラムに静電潜像が形成される。そして、現像装置で静電潜像がトナー像化（現像）され、このトナー像が、感光体ドラムの回転に伴って１次転写ニップまで移動して行き、そこで、１次転写ローラ４Ｙ，４Ｍ，４Ｃ，４Ｋから１次転写バイアスが印加され、クーロン力により中間転写ベルト４０表面へトナー像が転移することで転写される。また、１次転写後も感光体ドラムＹ，Ｍ，Ｃ，Ｋの外周表面に付着する１次転写残トナーが、クリーニング装置でクリーニングされ、再度の画像形成に備えられる。
【００３１】
各画像形成ユニット２Ｙ，２Ｍ，２Ｃ，２Ｋで形成された単色トナー像は、中間転写ベルト４０の回転移動のタイミングに合わせてイエロー、マゼンダ、シアン、ブラックの順番で１次転写が行われ、中間転写ベルト４０上に単色トナー像が重畳されて行き、フルカラーのトナー像が形成される。
【００３２】
一方、給紙部３又は手差しトレイ３６から給紙路ＳＲを通って搬送されてきたコピー用紙や手差し用紙などのシート材がレジストローラ対３５により転写とのタイミングが調整されて２次転写ニップに送られる。そこで、２次転写ローラ４９から２次転写バイアスが印加され、トナー像がシート材上に転写される。次に、この未定着のトナー像を表面に担持したシート材が後述の分離搬送装置６で中間転写ベルト４０から分離されて定着装置５の定着ニップに送られ、その定着ニップにおいて、熱と圧力が加えられて定着される。そして、また、２次転写後の中間転写ベルト４０の表面に転写後も付着する転写残トナーは、クリーニングユニットＣＵにより除去され、再度の画像形成動作に備えられる。
【００３３】
定着装置５で表面に画像が定着されたシート材は、排紙路ＥＲを通って、排紙ローラ対７１から排紙トレイ７０に排出される。なお、両面印刷の場合は、定着装置５から搬送されてくるシート材の行き先が、切換ガイド７２により反転路ＲＲに切り替えられ、反転路ＲＲにおいて表面に画像が定着されたシート材の表裏が反転され、再びレジストローラ対３５へ搬送され、前記画像形成動作が繰り返される。
【００３４】
（分離搬送装置）
次に、図１、図２を用いて分離搬送装置６について詳細に説明する。
分離搬送装置６は、無数の孔が穿孔された無端ベルトからなる分離搬送ベルト６０，６１と、分離搬送ベルト６０，６１を回転駆動する駆動ローラ６２と、その従動ローラ６３と、シート材を吸引するための吸引手段である分離搬送ファン６４，６５などから構成されている。この駆動ローラ６２は、駆動手段である駆動モータ６６の駆動力が駆動ベルト６７で伝達可能となっており、図１上で反時計周りに駆動して分離搬送ベルト６０，６１を図の矢印方向に回転し、吸着したシート材Ｓを定着装置５へ搬送する。分離搬送ファン６４，６５は、汎用品の軸流ファンであり、図の矢印方向に空気を吸引することにより、分離搬送ベルト６０，６１上にシート材Ｓを吸着する。分離搬送ファン６４，６５で吸引した空気は、中継ダクト６８を経由して装置本体２０の背面に設けられた後述の分離搬送排気ダクトへ排気される。
【００３５】
（排気経路）
次に、図３、図４を用いて、レーザプリンタ１の排気経路について説明する。
本発明の実施例に係るレーザプリンタ１は、全ての排気経路を装置本体２０及び給紙テーブル３０内の背面側に集め、合流ダクトＧＤで合流して、図の矢印で示すように、給紙テーブル３０の底面に形成された開口部Ｈから底面排気するように構成されている。符号Ｄ１〜Ｄ５は、前述の定着装置や各画像形成ユニット、電装基盤などの発熱する被冷却部から熱せられた空気を排気・排熱することで空冷するための冷却用の排気ダクトであり、符号Ｄ６は、前述の中継ダクト６８（図２参照）に連通する分離搬送装置６で吸引した空気を排気するための分離搬送装置用の排気ダクトである。
【００３６】
この合流ダクトＧＤは、略角形筒状のダクトであり、中央付近にオゾンフィルタＯＦが取り付けられ、このオゾンフィルタＯＦの排気方向下流側には、汎用標準サイズの軸流ファン（□８０程度）からなる２つの排気ファンＦ１，Ｆ２が取り付けられている。
また、この排気ファンＦ１の排気方向上流側、且つ、オゾンフィルタＯＦの排気方向上流側には、矩形平板からなる隔壁部材Ｗが排気方向に沿って設置され、排気ファンＦ１の排気方向上流側の領域が、分離搬送装置６用の排気ダクトＤ６からの気流が流れる領域と、冷却用の排気ダクトＤ１〜Ｄ５からの気流が流れる領域との２つの領域に区画されている。
【００３７】
以上のように、本発明の実施例に係るレーザプリンタ１の排気経路によれば、全ての排気ダクトを合流ダクトＧＤで合流するので、高価なオゾンフィルタを共有することができ、コストダウンを図ることができる。また、合流したダクト内の空気を複数の汎用標準サイズの排気ファンＦ１、Ｆ２で排気するので大型のファンを設置するのと比してコストメリットを得ることができる。即ち、大きいファン１個より標準サイズのファンを２個使用した方が安く、この安価な標準サイズの排気ファンだけで画像形成装置全体として必要な最小限の排気能力を担うことができる。更に、標準サイズのファンを複数個使用する方が、大型のファンを１つ使用するより騒音も小さくなる。
【００３８】
また、安価な標準サイズのファンを使用したとしても、各排気ダクトに排気ファンを設けるとすると、デッドスペースを生じ、スペースの有効活用や省スペース化において不利である。特に、分離搬送装置用の排気ダクトを１つの標準サイズの排気ファンで排気すると、通常、排気能力が余る場合があり、スペースの有効活用や省スペース化の要請に反する結果となるが、複数の冷却用の排気ダクトと合流してその一部と標準サイズの排気ファンの排気能力を共有することで、スペースの有効活用及び省スペース化や省電力化を図ることができる。また、排気ファンを異なる系統の排気ダクトと共有しても隔壁部材で排気ファンの上流側の領域が、分離搬送装置用の排気ダクトからの気流が流れる領域と、冷却用の排気ダクトからの気流が流れる領域との２つの領域に区画されているので、分離搬送装置を使用する度に分離搬送ファンが作動するため流量が変動する分離搬送装置用の排気ダクトからの気流が流れる領域と、被冷却部の発熱等により流量が変動する冷却用の排気ダクトからの気流と、が互いに干渉し合うことがない。そのため、分離搬送装置で所望の負圧を発生させて、シート材を確実に吸着することができると共に、被冷却部からの熱を確実に排熱して冷却することができる。
【００３９】
なお、この発明の実施の形態に係る画像形成装置として、４連タンデム型の中間転写方式のカラーレーザプリンタを例に挙げて説明したが、必ずしもこのようなものに限られず、定着装置や画像形成ユニットなどの複数の被冷却部と、シート材を吸着して定着装置に搬送する分離搬送装置とを備えた画像形成装置には、本発明を適用することができる。
【００４０】
そして、実施の形態の説明における、画像形成ユニット、光書き込みユニット、転写装置、定着装置、給紙装置、などは、あくまでも一例を示したものであって、他の公知の装置・手段などの構成を採用することができる。その場合でも、前記課題に対して同様の作用効果を奏することは明らかである。また、図面で示した各構成部材の形状や構造等も、あくまでも好ましい一例を示すものであり、特許請求の範囲内で適宜設計変更可能であることは云うまでもない。
【符号の説明】
【００４１】
１                                レーザプリンタ（画像形成装置）
２Ｙ，２Ｍ，２Ｃ，２Ｋ            画像形成ユニット
５                                定着装置
６                                分離搬送装置
Ｄ１〜Ｄ５                        冷却用の排気ダクト
Ｄ６                              分離搬送装置用の排気ダクト
Ｆ１，Ｆ２                        排気ファン
ＧＤ                              合流ダクト
ＯＦ                              オゾンフィルタ
Ｗ                                隔壁部材
【先行技術文献】
【特許文献】
【００４２】
【特許文献１】特開平４−２４６６２号公報
【特許文献２】特開平２−２５５４５５号公報
【図１】
0005463951.tif 000002
【図２】
0005463951.tif 000003
【図３】
0005463951.tif 000004
【図４】
0005463951.tif 000005